(57)【要約】  【課題】  監視装置のハウジング窓部材に視界妨害が行われても、監視装置の視界を回復させて監視画像の撮像を引き続き行うことができ、妨害行為者および妨害行為者による犯罪行為を監視画像から特定することができる監視装置を提供する。  【解決手段】  監視装置１は、監視画像を撮像する撮像部２と、撮像部２の前面を保護するハウジング窓部材４と、ハウジング窓部材４への視界妨害を検知する妨害検知部７と、ハウジング窓部材４を移動させる取外し部５を備え、妨害検知部７によりハウジング窓部材４への視界妨害が検知されたときに、ハウジング窓部材４を撮像部２の前面から移動させる。【選択図】  図１
2007043531.tif 000002
【特許請求の範囲】
【請求項１】
監視画像を撮像する監視撮像手段と、
前記監視撮像手段の少なくとも前面を保護するハウジング窓部材と、
前記ハウジング窓部材への視界妨害を検知する妨害検知手段と、
前記妨害検知手段により前記ハウジング窓部材への視界妨害が検知された場合に、前記ハウジング窓部材を前記監視撮像手段の前面から移動させる移動手段とを備えたことを特徴とする監視装置。
【請求項２】
前記ハウジング窓部材は、複数重ねて備えられており、
前記移動手段は、前記妨害検知手段により前記ハウジング窓部材への視界妨害が検知された場合に、前記複数のハウジング窓部材のうち最前面側のハウジング窓部材を、前記監視撮像手段の前面から移動させることを特徴とする請求項１に記載の監視装置。
【請求項３】
前記妨害検知手段により前記ハウジング窓部材への視界妨害が検知された時から所定時間経過後に、前記ハウジング窓部材を前記監視撮像手段の前面から移動させるように、前記移動手段による前記ハウジング窓部材の移動を遅延させる遅延手段を備えたことを特徴とする請求項１または請求項２に記載の監視装置。
【請求項４】
前記移動手段により前記ハウジング窓部材を移動させるときの音を低減する音低減手段を備えたことを特徴とする請求項１〜請求項３のいずれかに記載の監視装置。
【請求項５】
前記移動手段により前記ハウジング窓部材を移動させるときに前記ハウジング窓部材が落下するのを防止する落下防止手段を備えたことを特徴とする請求項１〜請求項４のいずれかに記載の監視装置。
【発明の詳細な説明】
【技術分野】
【０００１】
本発明は、信頼性が高い監視装置に関するものである。
【背景技術】
【０００２】
ビルや店舗などの施設の各所には、犯罪や不正行為の現場を撮影するために、監視カメラが設置されている。ところが、犯罪者や不正行為者は、ビルや店舗などの施設で犯罪や不正行為を行う際に、自らの行為や顔が監視カメラで撮影されるのを防ぐために、監視カメラにスプレーを吹きかける等の監視カメラに対する各種の妨害行為を行うことがある。
【０００３】
従来、監視カメラへの妨害行為の対策として、妨害行為が行われたことを検知した時に、監視センターに警報を発報し警備員に知らせる監視カメラシステムが知られている（例えば、特許文献１参照）。
【特許文献１】特開２０００−２２２６４６号公報（第２−３頁、第１図）
【発明の開示】
【発明が解決しようとする課題】
【０００４】
しかしながら、従来の監視カメラシステムでは、監視カメラの映像が配信されるモニタは、通常、管理人室や監視室に配備されているが、管理人や監視員が管理人室や監視室で常時監視を行うのは容易ではない。そして、管理人や監視員が一時的に不在になった場合には、監視カメラが妨害行為を受けた時にモニタへのアラーム表示や警報の発報を行っても、管理人や監視員が、妨害行為を知ることができない。そのような場合、妨害を受けた後の監視カメラで撮影された映像が、妨害行為者の特定に繋がる証拠になる可能性は低いという問題があった。また、妨害行為者は自身が監視カメラに撮影されない角度からカメラ装置に接近して妨害行為を行うことが多いため、妨害行為が行われる以前の映像にも、妨害行為者の特定に繋がる証拠が撮影されている可能性は低いという問題があった。
【０００５】
本発明は、上記従来の問題を解決するためになされたもので、監視装置にスプレーを吹きかけられる等の視界妨害が行われても、監視装置の視界を回復することができ、監視画像の撮像を引き続き行うことのできて、妨害行為者および妨害行為者による犯罪行為を監視画像から特定すること可能となる監視装置を提供することを目的とする。
【課題を解決するための手段】
【０００６】
本発明の監視装置は、監視画像を撮像する監視撮像手段と、前記監視撮像手段の少なくとも前面を保護するハウジング窓部材と、前記ハウジング窓部材への視界妨害を検知する妨害検知手段と、前記妨害検知手段により前記ハウジング窓部材への視界妨害が検知された場合に、前記ハウジング窓部材を前記監視撮像手段の前面から移動させる移動手段とを備えた構成を有している。
【０００７】
この構成により、監視装置のハウジング窓部材にスプレーを吹きかけられる等の視界妨害が行われたときに、妨害検知手段により視界妨害が検知される。そして、視界を遮られたハウジング窓部材を移動手段により移動させることで、監視装置の視界を回復することができる。これにより、監視装置の監視撮像手段は、監視画像の撮像を再開することができる。
【０００８】
また、本発明の監視装置では、前記ハウジング窓部材は、複数重ねて備えられており、前記移動手段は、前記妨害検知手段により前記ハウジング窓部材への視界妨害が検知された場合に、前記複数のハウジング窓部材のうち最前面側のハウジング窓部材を、前記監視撮像手段の前面から移動させる構成を有している。
【０００９】
この構成により、監視装置のハウジング窓部材にスプレーを吹きかけられる等の視界妨害が行われる度に、複数重ねられたハウジング窓部材のうち、視界を遮られた最前面側のハウジング窓部材から移動手段により移動させる。これにより、妨害行為が複数回行われた場合であっても、監視装置の視界をその都度回復することができる。
【００１０】
また、本発明の監視装置は、前記妨害検知手段により前記ハウジング窓部材への視界妨害が検知された時から所定時間経過後に、前記ハウジング窓部材を前記監視撮像手段の前面から移動させるように、前記移動手段による前記ハウジング窓部材の移動を遅延させる遅延手段を備えた構成を有している。
【００１１】
この構成により、妨害行為者による視界妨害を検知した時から所定時間経過してから、視野を遮られたハウジング窓部材を移動させる。視界妨害が行われた後すぐにハウジング窓部材を移動させると、ハウジング窓部材の移動を妨害行為者に気づかれるおそれがある。それに対して、所定時間経過した後にハウジング窓部材を移動させることにより、妨害行為者が監視装置にあまり注意を払っていないときに監視画像の撮影を再開することができる。
【００１２】
また、本発明の監視装置は、前記移動手段により前記ハウジング窓部材を移動させるときの音を低減する音低減手段を備えた構成を有している。
【００１３】
この構成により、ハウジング窓部材を移動させるときの音を音低減手段により低減できるので、ハウジング窓部材の移動を妨害行為者に気づかれる可能性が低減する。
【００１４】
また、本発明の監視装置は、前記移動手段により前記ハウジング窓部材を移動させるときに前記ハウジング窓部材が落下するのを防止する落下防止手段を備えた構成を有している。
【００１５】
この構成により、ハウジング窓部材を移動させるときに、ハウジング窓部材が落下して騒音が発生するのを防ぐことができ、ハウジング窓部材の移動を妨害行為者に気づかれる可能性が低減する。
【発明の効果】
【００１６】
本発明は、ハウジング窓部材への視界妨害を検知する妨害検知手段と、視界妨害が検知されたときにハウジング窓部材を移動させる移動手段とを設けることにより、監視装置のハウジング窓部材にスプレーを吹きかけられる等の視界妨害が行われても、監視装置の視界を回復させて監視画像の撮像を引き続き行うことができ、妨害行為者および妨害行為者による犯罪行為を監視画像から特定できるという効果を有する監視装置を提供することができるものである。
【発明を実施するための最良の形態】
【００１７】
以下、本発明の実施の形態の監視装置について、図面を用いて説明する。本実施の形態では、ビルや店舗などの施設の監視システム等に用いられる監視装置の場合を例示する。
【００１８】
（第１の実施の形態）
本発明の第１の実施の形態の監視装置を図１〜図３に示す。図１は、本実施の形態の監視装置１の概略構成を示すブロック図であり、図２は、本実施の形態の監視装置１の斜視図である。まず、本実施の形態の監視装置１の外観構成について図２を用いて説明する。図２に示すように、監視装置１は、監視画像を撮像するＣＣＤカメラ等の撮像部２と、撮像部２が収納されるハウジング本体３と、ハウジング本体３の前面に複数重ねて取り付けられるハウジング窓部材４と、ハウジング本体３に固定されるとともに各ハウジング窓部材４を取り外し可能に保持する取外し部５とを備えている。そして、本実施の形態では、撮像部２の前面は複数のハウジング窓部材４によって外部から保護されている。また、ハウジング本体３の上部には、ハウジング本体３を施設の壁や天井に取り付けるための取付け部材６が設けられている。
【００１９】
また、図１に示すように、監視装置１は、撮像部２で撮像された監視画像に画像処理を施してハウジング窓部材４への視界妨害の検知を行う妨害検知部７を備えている。そして、妨害検知部７は、信号遅延部８を介して取外し部５に接続されている。
【００２０】
妨害検知部７は、撮像部２で撮像した監視画像全体の輝度が著しく低下した場合、例えば監視画像全体の輝度が所定のしきい輝度よりも低下した場合に、監視装置１のハウジング窓部材４への視界妨害を検知するように構成されている。なお、本発明の妨害検知手段は、これに限定されることはなく、これ以外に、妨害検知部７は、撮像部２で撮像した監視画像全体の輝度に大きな変化があった場合、例えば監視画像全体の輝度変化が所定のしきい輝度変化よりも大きい場合に、監視装置１のハウジング窓部材４への視界妨害を検知するように構成されていてもよい。また、本実施の形態では、妨害検知部７は撮像部２の外部に備えられているが、それ以外に、妨害検知部７は撮像部２の内部に備えられていてもよい。
【００２１】
妨害検知部７でハウジング窓部材４への視界妨害が検知された場合には、妨害検知部７は異常検知信号を出力する。妨害検知部７から出力された異常検知信号は信号遅延部８に入力される。信号遅延部８は、入力された異常検知信号を予め設定された所定時間だけ遅延させて出力する。そして、信号遅延部８から出力された異常検知信号は取外し部５に入力される。異常検知信号が入力された取外し部５は、最前面のハウジング窓部材４を取り外すように構成されている。なお、取外し部５は、ハウジング窓部材４をハウジング本体３から取り外すことによって、ハウジング窓部材４を監視部２の前面から移動させる構成であり、本発明の移動手段に相当するものである。また、信号遅延部８は、入力された異常検知信号を遅延させずに出力することもできる。
【００２２】
ここで、本実施の形態の監視装置１の取外し部５について図３を用いて詳細に説明する。図３は、監視装置１の取外し部５の概略構成を示すブロック図である。図３に示すように、取外し部５は、ハウジング窓部材４に対応した複数の電磁石９と、各電磁石９へ流す電流の方向を切り換える電流切換え部１０とを備えている。ハウジング窓部材４の中央部分はガラスや透明プラスチックなどの透光性の材料により構成されており、ハウジング窓部材４の周囲のフレーム１１はゴムなどの落下したときに発生する音が小さいクッション性の材料により構成されている。また、フレーム１１には磁石１２が埋め込まれており、取外し部５の電磁石９には、通常、ハウジング窓部材４の磁石１２と引き合う磁力が発生する方向に電流が流されている。このようにして、通常の状態では、ハウジング窓部材４の磁石１２と取外し部５の電磁石９とが磁着して、ハウジング窓部材４は取外し部５に保持されている。
【００２３】
そして、取外し部５に異常検知信号が入力されると、電流切換え部１０は、最前面側のハウジング窓部材４に対応する電磁石９に流す電流の方向を逆方向に切り換える。逆方向の電流が流された電磁石９には、ハウジング窓部材４の磁石１２と反発する磁力が発生する。このようにして、異常検知信号が入力されたときには、取外し部５はハウジング窓部材４を切り離すことができるように構成されている。それ以外に、取外し部５は、電磁石９に流す電流を遮断することにより、ハウジング窓部材４を切り離すことができるように構成されていてもよい。
【００２４】
以上のように構成された本実施の形態の監視装置１について、以下、その動作を説明する。
【００２５】
本実施の形態の監視装置１を用いて、通常の監視を行っている場合、各電磁石９には各ハウジング窓部材４の磁石１２と引き合う磁力が発生する方向に電流が流されており、各ハウジング窓部材４の磁石１２と取外し部５の各電磁石９とが磁着して、複数のハウジング窓部材４は取外し部５に保持されている。
【００２６】
監視装置１のハウジング窓部材４にスプレーを吹きかけられる等の視界妨害が行われた場合には、ハウジング窓部材４の中央部分の透光率が低下する。そうすると、撮像部２で撮像した監視画像全体の輝度が著しく低下する。例えば、監視画像全体の輝度が所定のしきい輝度よりも低下することとなり、妨害検知部７で視界妨害が検知される。
【００２７】
そして、妨害検知部７でハウジング窓部材４への視界妨害が検知されると、妨害検知部７は異常検知信号を信号遅延部８へ出力する。妨害検知部７からの異常検知信号が入力された信号遅延部８は、異常検知信号を予め設定された所定時間だけ遅延させて取外し部５へ出力する。
【００２８】
信号遅延部８からの異常検知信号が取外し部５に入力されると、取外し部５の電流切換え部１０は、最前面側のハウジング窓部材４に対応する電磁石９に流す電流の方向を逆方向に切り換えて、最前面側のハウジング窓部材４を電磁石９から切り離す。このようにして、妨害行為者による視界妨害を検知した時から所定時間経過した後に、視野を遮られた最前面側のハウジング窓部材４を取り外す。
【００２９】
このような発明の第１の実施の形態の監視装置１によれば、ハウジング窓部材４への視界妨害を検知する妨害検知部７と、視界妨害が検知されたときにハウジング窓部材４を取り外す取外し部５とを設けることにより、監視装置１のハウジング窓部材４にスプレーを吹きかけられる等の視界妨害が行われても、監視装置１の視界を回復させて監視画像の撮像を引き続き行うことができ、妨害行為者および妨害行為者による犯罪行為を監視画像から特定できる。
【００３０】
すなわち、本実施の形態の監視装置１では、監視装置１のハウジング窓部材４にスプレーを吹きかけられる等の視界妨害が行われたときに、妨害検知部７により視界妨害が検知される。そして、視界を遮られたハウジング窓部材４を取外し部５により取り外すことで、監視装置１の視界を回復することができる。これにより、監視装置１の撮像部２は、監視画像の撮像を再開することができる。
【００３１】
また、本実施の形態の監視装置１では、監視装置１のハウジング窓部材４にスプレーを吹きかけられる等の視界妨害が行われる度に、複数重ねられたハウジング窓部材４のうち、視界を遮られた最前面側のハウジング窓部材４から順番に取り外す。これにより、妨害行為が複数回行われた場合であっても、監視装置１の視界をその都度回復することができる。
【００３２】
また、本実施の形態の監視装置１では、妨害行為者による視界妨害を検知した時から所定時間経過してから、視野を遮られたハウジング窓部材４を取り外す。視界妨害が行われた後すぐにハウジング窓部材４を取り外すと、ハウジング窓部材４が取り外されたことを妨害行為者に気づかれるおそれがある。それに対して、所定時間経過した後にハウジング窓部材４を取り外すことにより、妨害行為者が監視装置にあまり注意を払っていないときに監視画像の撮影を再開することができる。
【００３３】
また、本実施の形態の監視装置１では、ハウジング窓部材４のフレーム１１がクッション性のあるゴム製であるため、ハウジング窓部材４を取り外して落下させたときに発生する音が小さい。これにより、ハウジング窓部材４の移動を妨害行為者に気づかれる可能性が低減する。
【００３４】
（第２の実施の形態）
次に、本発明の第２の実施の形態の監視装置１を図４に示す。図４は、本実施の形態の監視装置１の概略構成を示すブロック図である。図４に示すように、本実施の形態の監視装置１は、第１の実施の形態の監視装置１に妨害検知センサ１３が追加された構成とされている。
【００３５】
本実施の形態では、妨害検知センサ１３は、ハウジング本体２の内部に取り付けられており、ハウジング窓部材４を通して周囲の明るさを測定し明るさが極端に低い場合、例えば、測定した明るさが所定のしきい明るさよりも低い場合には、異常状態と判定する光センサである。この場合、妨害検知センサ１３は、ハウジング窓部材４を通した明るさを測定することにより、ハウジング窓部材４への視覚妨害を検知することができる構成であり、本発明の妨害検知手段に相当するともいえる。
【００３６】
なお、本発明の妨害検知センサ１３は、これに限定されるものではなく、それ以外に、妨害検知センサ１３は、例えば、ハウジング本体２に取り付けられており、ハウジング本体２に加えられた衝撃を検出する衝撃センサであってもよい。また、妨害検知センサ１３は、ハウジング本体２の外面に取り付けられており、赤外線を発光しその反射光を取得することで障害物までの距離を測定し距離が極端に短い場合、例えば、測定した距離が所定のしきい距離よりも近い場合に、異常状態と判定する赤外線センサであってもよい。
【００３７】
妨害検知センサ１３で異常状態が検知された場合、妨害検知センサ１３は異常検知信号を信号遅延部８に出力する。そして、上記第１の実施の形態の場合と同様にして、妨害検知センサ１３からの異常検知信号が入力された信号遅延部８は、異常検知信号を所定時間だけ遅延させて取外し部５へ出力する。取外し部５に異常検知信号が入力されると、電流切換え部１０は、最前面側のハウジング窓部材４に対応する電磁石９に流す電流の方向を逆方向に切り換えて、ハウジング窓部材４を最前面側から順番に切り離す。
【００３８】
このような発明の第２の実施の形態の監視装置１によれば、妨害検知センサ１３を追加して設けることにより、妨害検知部７によりハウジング窓部材４への視覚妨害を検知するだけではなく、妨害検知センサ１３により各種の異常状態を検知することによっても、監視装置１に対する妨害行為を検知することができる。また、妨害検知センサ１３は、監視装置１のハウジングの外部に簡単に取り付けることができ、取外し部５との接続作業も容易である。
【００３９】
（第３の実施の形態）
次に、本発明の第３の実施の形態の監視装置１を図５に示す。図５は、本実施の形態の監視装置１の正面図である。図５に示す本実施の形態の監視装置１には、ハウジング窓部材４の落下防止機構が設けられている。
【００４０】
本実施の形態では、各ハウジング窓部材４の片側下部の隅角部には、中央にバー挿通孔１４を有するリング片１５が設けられている。そして、各リング片１５のバー挿通孔１４に連結支持バー１６を挿通することにより、複数のハウジング窓部材４は連結支持バー１６に回動可能に支持されている。したがって、取外し部５から切り離されたハウジング窓部材４は、連結支持バー１６を中心に回動し、連結支持バー１６にぶら下がった状態で支持される。このようにして、ハウジング窓部材４の落下が防止される。
【００４１】
また、上記の落下防止機構は、ハウジング窓部材４を取り外したときの落下を防止することができるため、ハウジング窓部材４が落下したときに音が発生するのを防止することもできる構成であり、本発明の音低減手段に相当するということもできる。
【００４２】
このような発明の第３の実施の形態の監視装置１によれば、ハウジング窓部材４を取り外したときに、ハウジング窓部材４が落下して騒音が発生するのを防ぐことができ、ハウジング窓部材４の移動を妨害行為者に気づかれる可能性が低減する。
【００４３】
以上、本発明の実施の形態を例示により説明したが、本発明の範囲はこれらに限定されるものではなく、請求項に記載された範囲内において目的に応じて変更・変形することが可能である。
【００４４】
例えば、以上の説明では、落下防止機構を連結支持バー１６で構成した例について説明したが、その他、例えば、図６に示すように、ハウジング窓部材４の両側に、左右一対の正面視Ｌ字状の支持アーム１７を設けてもよい。この場合、取外し部５から切り離されたハウジング窓部材４は、下方にスライドしＬ字状の支持アーム１７によって受け止められる。このようにして、ハウジング窓部材４の落下を防止することも可能である。
【００４５】
また、各ハウジング窓部材４とハウジング本体３とを支持ロープで連結してもよい。この場合、取外し部５から切り離されたハウジング窓部材４は、ハウジング本体３に支持ロープでぶら下がり支持される。このようにして、ハウジング窓部材４の落下を防止することもできる。
【産業上の利用可能性】
【００４６】
以上のように、本発明にかかる監視装置は、監視装置のハウジング窓部材にスプレーを吹きかけられる等の視界妨害が行われても、監視装置の視界を回復させて監視画像の撮像を引き続き行うことができ、妨害行為者および妨害行為者による犯罪行為を監視画像から特定できるという効果を有し、信頼性が高い監視装置等として有用である。
【図面の簡単な説明】
【００４７】
【図１】本発明の第１の実施形態の監視装置の概略構成を示すブロック図
【図２】本発明の第１の実施形態の監視装置の斜視図
【図３】本発明の第１の実施形態の取外し部の概略構成を示すブロック図
【図４】本発明の第２の実施形態の監視装置の概略構成を示すブロック図
【図５】本発明の第３の実施形態の監視装置の正面図
【図６】本発明の他の実施形態の監視装置の正面図
【符号の説明】
【００４８】
１  監視装置
２  撮像部
４  ハウジング窓部材
５  取外し部
７  妨害検知部
８  信号遅延部
１３  妨害検知センサ
【図１】
2007043531.tif 000003
【図２】
2007043531.tif 000004
【図３】
2007043531.tif 000005
【図４】
2007043531.tif 000006
【図５】
2007043531.tif 000007
【図６】
2007043531.tif 000008